(57)【特許請求の範囲】
【請求項１】
木質系板材の端面に被覆された被覆材に印刷模様を有した木質系化粧材の製造方法であって、
前記木質系板材の端面に帯状の被覆材を貼着する工程と、
前記被覆材の表面が上方を向くように、複数の木質系板材を板厚方向に重ねて配列する工程と、
前記複数の木質系板材に対して、重ねて配列した前記木質系板材の両側の木質系板材間に亘るインクジェットヘッドの前記板厚方向の相対的な移動と、前記木質系板材の長手方向に沿ったインクジェットヘッドの相対的な移動と、を交互に繰り返しながら、前記複数の木質系板材に貼着された被覆材にインクジェット印刷で印刷模様を付与する工程と、を含むことを特徴とする木質系化粧材の製造方法。
【請求項２】
前記印刷模様を付与する工程後、前記複数の木質系板材の表面が上を向くように、前記複数の木質系基材を幅方向に重ねて配列する工程と、
前記複数の木質系基材に対して、重ねて配列した前記木質系板材の両側の木質系板材間に亘るインクジェットヘッドの前記幅方向の相対的な移動と、前記木質系板材の長手方向に沿ったインクジェットヘッドの相対的な移動と、を交互に繰り返しながら、前記複数の木質系板材の表面に、前記被覆材の前記印刷模様に連続するようにインクジェット印刷で印刷模様をさらに付与する工程と、を含むことを特徴とする請求項１に記載の木質系化粧材の製造方法。
【発明の詳細な説明】
【技術分野】
【０００１】
本発明は、木質系板材の端面に被覆された被覆材に、印刷模様を有した木質系化粧材の製造方法に関する。
【背景技術】
【０００２】
従来から、木目模様などの模様が、表面にインクジェット印刷された木質系化粧材が利用されている。このようなインクジェット印刷の技術として、例えば、特許文献１には、木質系板材の表面にインクを吹き付けて、所望の印刷模様を付与する木質系化粧材の製造方法が提案されている。
【０００３】
この製造方法では、木質系板材の端面を印刷する際に、端面用の転写ロールの外周面にインクジェット印刷によりインクを吹き付けながら、この転写ロールのインクを木質系化粧材の端面に転写することにより、その端面に印刷模様を付与している。
【先行技術文献】
【特許文献】
【０００４】
【特許文献１】特開２０１４−００８４５８号公報
【発明の概要】
【発明が解決しようとする課題】
【０００５】
しかしながら、特許文献１に係る木質系化粧材の製造方法では、木質系板材の端面に印刷される印刷模様は、まず転写ロールに印刷されるため、転写ロールの外周面の周長に応じて規則的な印刷模様が、木質系板材の端面に印刷される。このため、複数の木質系板材の端面を印刷する際に、その端面に不規則な印刷模様や、異なる種類の印刷模様を連続して印刷することは難しく、木質系化粧材の端面に意匠性の高い印刷模様を付与することは難しい。
【０００６】
本発明は、このような点に鑑みてなされたものであり、その目的とするところは、木質系化粧材の端面に、不規則な印刷模様、異なる種類の印刷模様等の印刷模様を簡単に付与すことができる、意匠性の高い表面を有した木質系化粧材の製造方法を提供することにある。
【課題を解決するための手段】
【０００７】
前記課題を鑑みて、本明細書では、以下の第１および第２発明を開示する。第１発明に係る木質系化粧材の製造方法は、木質系板材の端面に被覆された被覆材に印刷模様を有した木質系化粧材の製造方法であって、帯状の前記被覆材の表面を上方に向けた状態で、前記被覆材を前記被覆材の長手方向に搬送しながら、前記被覆材の表面にインクジェット印刷で前記印刷模様を付与することにより印刷面を形成する工程と、前記印刷面を形成する工程で前記長手方向に沿って搬送された被覆材を、連続して前記長手方向に沿って搬送しながら、上方に向けた前記印刷面が水平方向に向くように前記長手方向に沿って前記被覆材をひねり、前記印刷面が前記木質系板材の外側に向くように前記被覆材を前記木質系板材の端面に貼着する工程と、を少なくとも含むことを特徴とする。
【０００８】
第１発明によれば、まず、木質系板材の端面に被覆される被覆材を準備し、この被覆材の表面を上方に向けた状態で搬送するので、被覆材の表面に、インクジェット印刷で不規則な印刷模様、異なる種類の木目模様などの印刷模様を簡単に付与することができる。表面に、このような印刷模様が付与された被覆材は、そのまま長手方向に沿って搬送されながら上方に向けた印刷面が水平方向に向くように長手方向に沿ってひねられる。これにより、安定した姿勢の木質系板材の端面に、印刷模様が付与された被覆材を簡単に貼り付けることができる。
【０００９】
このようにして、第１発明では、インクジェット印刷で直接的に被覆材の表面に印刷模様が付与され、この印刷模様が付与された被覆材を木質系板材の端面に連続して貼り付けることができる。また、不規則な印刷模様、異なる種類の印刷模様等の印刷模様であっても、インクジェット印刷により簡単にその印刷模様を変更することができ、意匠性の高い表面を有した木質系化粧材を簡単に製造することができる。これにより、調色工程を廃止でき、生産性の向上を期待することができる。このようにして、木質系板材の端面にも、木質系板材の表面と同様に意匠を施すことができる。さらに、木質系板材毎に被覆材の表面に付与する印刷模様の色が変更することがあっても、インクジェット印刷により連続して変更された色の印刷模様を被覆材に付与し、これを木質系板材の端面に貼着することができる。
【００１０】
第１発明のより好ましい態様としては、前記貼着する工程後に、前記長手方向に沿って、前記被覆材の縁部を削り取る工程と、削り取られることにより露出した前記被覆材の縁部表面と、前記縁部表面に連続した前記木質系板材の表面とに、連続した印刷模様が形成されるように、インジェット印刷で前記縁部表面と前記木質系板材の表面とに前記印刷模様を付与する工程とを含む。ここで、本明細書でいう「連続した印刷模様が形成されるように」とは、実際に印刷された印刷模様が連続していなくても、全体として、印刷模様が１つの模様として統一感があり、印刷模様が連続しているように見える場合も含む。
【００１１】
この態様よれば、被覆材の縁部を削り取ることにより被覆材の縁部表面が露出する。しかしながら、この露出した縁部表面とこれに連続した木質系板材の表面とに連続した印刷模様が形成されるように、インクジェット印刷でこれらの表面に印刷模様を付与するので、露出した縁部表面が目立たなくなり、木質系化粧材の意匠性を高めることができる。
【００１２】
第２発明に係る木質系化粧材の製造方法は、木質系板材の端面に被覆された被覆材に印刷模様を有した木質系化粧材の製造方法であって、前記木質系板材の端面に帯状の被覆材を貼着する工程と、前記被覆材の表面が上方を向くように、複数の木質系板材を板厚方向に重ねて配列する工程と、前記複数の木質系板材に対して、重ねて配列した前記木質系板材の両側の木質系板材間に亘るインクジェットヘッドの前記厚さ方向の相対的な移動と、前記木質系板材の長手方向に沿ったインクジェットヘッドの相対的な移動と、を交互に繰り返しながら、複数の前記木質系板材に貼着された被覆材にインクジェット印刷で印刷模様を付与する工程と、を含むことを特徴とする。
【００１３】
第２発明によれば、木質系板材の端面に貼着された被覆材が上方を向くように、複数の木質系板材を重ねて配列する。この配列状態の複数の木質系板材に対して、重ねて配列された両側の木質系板材の間に亘り、インクジェットヘッドを厚さ方向に沿って相対的に移動させ、次に、木質系板材の長手方向に沿ってインクジェットヘッドを相対的に移動させる一連の相対的な移動を繰り返す。この相対的な移動において、インクジェットヘッドから被覆材にインクを吹き付けることにより、複数の木質系板材に貼着された被覆材に同時に（一度に）インクジェット印刷で印刷模様を付与することができる。
【００１４】
また、第２発明も、第１発明と同様の、調色工程を廃止でき、生産性の向上を期待することができる。このようにして、木質系板材の端面にも、木質系板材の表面と同様に意匠を施すことができる。また、木質系板材の表面に印刷模様を付与する場合には、別途、表面を印刷するためのインクジェットヘッドを含む印刷設備を増やすことにより、生産性を高めてもよい。
【００１５】
特に、前記複数の木質系板材に対して、重ねて配列した木質系板材の両側の木質系板材間に亘るインクジェットヘッドの相対的な移動に合わせて、上述したインクジェット印刷を行うので、より多くの木質系板材に印刷模様を効率的に付与することができる。
【００１６】
また、印刷模様は、インクジェット印刷により被覆材に付与されるので、木質系板材の表面の模様に応じた、または、これから木質系板材の表面に印刷される模様に応じた、印刷模様を木質系化粧材の端面に有することができる。
【発明の効果】
【００１７】
本発明によれば、木質系化粧材の端面に、不規則な印刷模様、異なる種類の印刷模様等の印刷模様を簡単に付与することができ、意匠性の高い表面を有した木質系化粧材を得ることができる。
【図面の簡単な説明】
【００１８】
【図１】本実施形態に係る第１発明に係る木質系化粧材の製造方法を説明するためのフロー図である。
【図２】（ａ）は、第１発明に係る木質系化粧材の端面に印刷模様を付与する装置を説明するための模式的斜視図であり、（ｂ）は、第１発明に係る木質系板材の表面に印刷模様を付与する装置を説明するための模式的斜視図であり、（ｃ）は、第１発明に係る木質系化粧材の製造方法で製造された木質系化粧材の模式的斜視図である。
【図３】（ａ）〜（ｄ）は、図１に示す製造方法の各工程を説明するための図である。
【図４】本実施形態に係る第２発明に係る木質系化粧材の製造方法を説明するためのフロー図である。
【図５】（ａ）は、第２発明に係る木質系化粧材の端面に印刷模様を付与する装置を説明するための模式的斜視図であり、（ｂ）は、第２発明に係る木質系板材の表面に印刷模様を付与する装置を説明するための図である。
【図６】（ａ）〜（ｄ）は、図４に示す製造方法の各工程を説明するための図である。
【発明を実施するための形態】
【００１９】
以下に、図面を参照して、第１および第２発明の実施形態に係る木質系化粧材の製造方法を説明する。
〔第１発明について〕
第１発明の本実施形態に係る木質系化粧材１は、階段の踏板、床材、建具、収納扉、キッチン扉、またはカウンタなどに用いられる部材であり、少なくとも、端面（木口）に印刷模様が付与された部材である。以下に、図１〜図３を参照して、第１発明に係る木質系化粧材の製造方法を説明する。
【００２０】
まず、図１のステップＳ１１で、本実施形態では、インクジェット印刷で印刷模様が付与される素材として、図２（ａ）に示す木質系板材２を準備する。本実施形態では、木質系板材２は、複数プライの合板からなるベース部材２１の表面に、４枚の突板２３が貼着された板材である。木質系板材２の表面２４は、突板２３に由来した木目模様が形成された表面を有する。なお、本明細書中でいう「木質系板材」とは、少なくとも表面の一部に木質表面を有した板材のことをいう。本実施形態では、４枚の突板２３がベース部材２１に貼着されているが、ベース材２１の表面を覆うことができれば、突板の枚数は特に限定されず、例えば１枚であってもよい。
【００２１】
ここで、本実施形態では、ベース部材２１を構成する木材の一例として合板を挙げたが、例えば、パーティクルボード（ＰＢ）、木質繊維板（ＭＤＦ・インシュレーションボード・ハードボードなど）、配向性ストランドボード（ＯＳＢ）、ＬＶＬ、集成材、または無垢材などの木質材料を挙げることができる。木質系化粧材１の剛性および強度を確保することができるのであれば、その材料および厚さは特に限定されるものではない。
【００２２】
さらに、ベース部材２１は、合板からなるベース部材であったが、突板２３を表面に貼着し、木質系板材２の表面を木材の表面にすることができるのであれば、その材質は限定されるものではない。たとえば、ベース部材２１が、樹脂と木材を混合した複合型のベース部材であってもよく、ポリ塩化ビニル、ポリウレタン、ポリオレフィン系樹脂（ポリエチレン、ポリプロピレン、ポリエチレンビニルアセテート、ポリビニルアルコールなど）の樹脂製のベース部材であってもよい。さらに、ベース部材２１は、ロックウールボードなどの無機繊維のベース部材、または、炭素繊維からなる炭素繊維のベース部材であってもよい。
【００２３】
突板２３は、その表面に、突板２３（木材）に由来した天然の木目模様が形成された単板であり、ベース部材２１の表面を化粧する表面化粧材として用いられる単板である。突板の材料としては、例えば、ビーチ、オーク、メイプル、ケヤキ、ウォールナット、シナ、ナラ、ヤチダモ、キリ、ヒノキ、スギ、マホガニー、チーク、ローズウッド、トチ、クロガキ、シオジ、ニレ、カバ、シタン、またはコクタンなどを挙げることができる。突板２３の厚さは、０．１〜１．０ｍｍの範囲にあることが好ましい。
【００２４】
本実施形態では、その表面に木材に由来した天然の木目模様が形成された表面化粧材として突板２３を用いた。しかしながら、例えば、突板２３の代わりに、ベース部材２１の表面を化粧する表面化粧材として上述した材料からなる（表面に天然の木目模様が形成された）挽板を用いてもよい。その場合には、挽板の厚さは、１ｍｍ〜３ｍｍの範囲にあることが好ましい。
【００２５】
突板２３をベース部材２１に貼着するにあたって、ベース部材２１の表面または突板２３の裏面の少なくとも一方に粘着剤を塗布し、接着剤を硬化させることにより、ベース部材２１の表面に突板２３を接着する。ベース部材２１に貼着された突板２３のうち、ベース部材２１の表面からはみ出した部分はトリミングにより除去される。
【００２６】
さらに、突板２３をベース部材２１に貼着する前、または貼着した後に、突板２３の表面をロールコーター等により着色剤で着色してもよい。このような着色を行うことにより、突板２３の木質感を強調し、後述する木材の表面模様を強調することもできる。着色剤としては、染料着色剤、顔料着色剤、または薬品着色剤などを挙げることができる。
【００２７】
次に、図１のステップＳ１２で、被覆材３の表面３１へのインクジェット印刷を行う。まず、木質系板材２の端面２５を被覆する被覆材３として、帯状（テープ状）の突板を準備する。被覆材３である突板の素材としては、上述した突板２３の素材を挙げることができ、意匠性を高めるため、被覆材３の素材は、突板２３の素材と同じであることが好ましい。
【００２８】
また、被覆材３は、インクジェット印刷により、その表面３１に印刷模様が付与することが可能であり、後述する如く長手方向に沿ってひねっても亀裂等が発生せず、木質系板材２の端面２５に貼着可能であれば、特にその素材は限定されるものではない。たとえば、被覆材３としては、帯状の挽き板、樹脂テープまたはこれらが積層したテープなどであってもよい。
【００２９】
また、被覆材３の木質系板材２の端面２５に貼着される側の表面に、織物繊維などの布地、または、クラフト紙などの紙など可撓性を有した補強シートがさらに積層されていてもよい。これにより、後述する長手方向に沿ったひねりに対する被覆材３の強度を高めることができる。
【００３０】
次に、図２（ａ）に示すように、帯状の被覆材３の表面３１を上方に向けた状態で、被覆材３を被覆材３の長手方向に搬送しながら、被覆材３の表面３１にインクジェット印刷で印刷模様を付与する。被覆材３は、一対の水平ローラ６１，６１により挟み込まれており、この水平ローラ６１の駆動により、搬送される。これにより、図３（ａ）に示すように、被覆材３の表面３１には、インク層３２による印刷面３３が連続して形成される。
【００３１】
ここで、被覆材３である突板の表面には、天然の木目模様が形成されているので、この天然の木目模様に応じて形成された突板の表面の凹凸形状を残しつつ、天然の木目模様が視認できるように、突板の表面の天然の木目模様とは異なる木目模様を印刷することが好ましい。これにより、印刷された被覆材３の突板の木質感を維持しつつ、印刷模様により意匠性を高めることができる。
【００３２】
より具体的には、本実施形態では、従来技術とは異なり、微細な粒径の紫外線硬化型のインクを、被覆材３の表面３１に吹き付ける。具体的には、被覆材３の表面３１に吹き付けられるインクの液滴は、１〜２０ｐｌの範囲にあることが好ましく、より好ましくは、３〜１４ｐｌの範囲にある。このようにして、被覆材３の表面３１には、未硬化のインク粒子が離間して付着し、インク粒子同士の間に、インク粒子から表面３１が露出した印刷面３３が形成される。その後、印刷面３３に、紫外線を照射することで、インク粒子を硬化させる。
【００３３】
本実施形態では、後述する被覆材３が貼着された木質系板材２の表面２４の印刷模様と連続するような印刷模様を、被覆材３の表面に付与する。具体的には、木質系板材２の表面２４に付与される印刷模様は木目模様であり、被覆材３に付与される印刷模様も、木目模様であり、両者の木目模様が連続して形成されるように、これらの表面に印刷模様を付与する。
【００３４】
本実施形態では、インク層３２により形成される木目模様は、突板２３の表面とは異なる１枚の板材の表面および端面を画像として撮影し、撮影した画像に応じた模様（木材の表面模様）を、印刷することで得ることができる。木材の木目模様の印刷はインクジェットプリンタを用いて行われる。
【００３５】
本実施形態では、インクジェットプリンタのインクは、例えばイエロー、マゼンダ、シアン、およびブラックの４色で構成され、これらのインクを用いて、木質系板材２の表面２４にインク層３２を形成することで木目模様を印刷する。ここで、インクジェット印刷に用いられるインクは、水性インク、油性インク、または紫外線硬化型のインクのいずれのインクであってもよい。被覆材３が突板である場合、印刷用のインクに、紫外線硬化型のインクを用いれば、印刷したインクが、被覆材３に殆ど含浸されず、鮮明な表面模様を得ることができる。
【００３６】
インクジェットプリンタは、図２（ａ）に示すように、上述したインクを収容し、上述した画像に基づいて印刷すべき木目模様に合わせて各インクを個別に噴射するインクジェットヘッド５１を備えている。インクジェットヘッド５１は、被覆材３の上方に配置され、インクを下方に向かって噴射することにより、被覆材３の上方に向いた表面３１を印刷することができる。
【００３７】
次に、図１のステップＳ１３で、木質系板材２の端面２５への被覆材３の貼着を行う。具体的には、一対の水平ローラ６１，６１で搬送された被覆材３を、図２（ａ）に示すように、さらに、一対の鉛直ローラ６２，６２で挟み込んで、被覆材３を連続して長手方向に沿って搬送する。これにより、一対の水平ローラ６１，６１と一対の鉛直ローラ６２，６２との間で、上方に向けた印刷面３３が水平方向に向くように長手方向に沿って被覆材３をひねる（捩じる）ことができる。
【００３８】
一方、図１のステップＳ１１で準備された木質系板材２を、図２（ａ）に示すように、被覆材３の搬送速度と同じ搬送速度で搬送させ、木質系板材２の端面２５に、糊等の接着剤が外周面に塗られた接着ローラ６３を接触させながら、接着ローラ６３を回転させ、木質系板材２の端面２５に接着剤を塗布する。なお、本実施形態では、木質系板材２の端面２５に、接着剤を塗布したが、例えば、被覆材３の裏面に、接着剤を塗布してもよい。
【００３９】
そして、搬送されている木質系板材２の接着剤が塗布された端面２５に、同じ搬送速度で被覆材３を搬送し、被覆材３の印刷面３３が木質系板材２の外側に向くように、押さえローラ６５で、被覆材３を木質系板材２の端面２５に向かって押さえながら、端面２５に被覆材３を貼着する（図３（ｂ）参照）。
【００４０】
このようにして、インクジェット印刷で直接的に被覆材３の表面３１に印刷模様が付与され、印刷模様が付与された被覆材３を木質系板材２の端面２５に連続して貼り付けることができる。これにより、図２（ｃ）に示すように、不規則な印刷模様、異なる種類の印刷模様等の印刷模様であっても、調色することなくインクジェット印刷により、木質系化粧材１の端面１５の印刷模様を簡単に変更することができる。
【００４１】
次に、図１のステップＳ１４で、被覆材３の縁部３５の削り取りを行う。具体的には、木質系板材２の端面２５に被覆材３を貼着した後に、この木質系板材２を長手方向に沿って搬送し、長手方向に沿って一対の回転刃６６，６６で、木質系板材２からはみ出した被覆材３の縁部３５を連続して削り取る。この縁部３５の削り取りにより、図３（ｃ）に示すように、被覆材３の縁部表面３６が露出する。ここで、木質系板材２からはみ出した被覆材３の縁部３５を削り取ることができるのであれば、被覆材３の縁部３５の削り取りは、面取り加工、ラウンド加工等、特に限定されない。
【００４２】
次に、図１のステップＳ１５で、被覆材３の切断を行う。具体的には、被覆材３が貼着された木質系板材２の端面２５の末端２５ａが、丸刃のエンドカッタ６７の前に移動した時点で、エンドカッタ６７を被覆材３に向かって前進させ、エンドカッタ６７で被覆材３を切断する。ここで、木質系板材２および被覆材３の搬送気孔、接着ローラ６３からエンドカッタ６７の機構は、いわゆるエッジバインダー装置に備えられた機構であってもよい。
【００４３】
次に、図１のステップＳ１６で、木質系板材２の表面２４および被覆材３の縁部表面３６へのインクジェット印刷工程を行う。具体的には、図２（ｂ）に示すように、被覆材３が貼着された木質系板材２を長手方向に搬送しながら、木質系板材２をインクジェットヘッド５２の下方に通過させる。
【００４４】
本実施形態では、木質系板材２の幅方向に沿って支持梁５３が固定されており、インクジェットヘッド５２は、支持梁５３に沿って移動自在に取り付けられている。インクジェットヘッド５２を木質系板材２の幅方向に移動させながら、被覆材３の縁部表面３６と、縁部表面３６に連続した木質系板材２の表面２４とに、インクジェット印刷で連続した印刷模様を付与する（図３（ｄ）参照）。
【００４５】
より具体的には、木質系板材２を長手方向にステップ的に搬送し、木質系板材２の搬送が停止しているタイミングで、インクジェットヘッド５２を木質系板材２の幅方向に亘って移動しながら、木質系板材２の表面２４および被覆材３の縁部表面３６の印刷を行う。この一連の動作を繰り返す。これにより、これらの表面には、インク層２７により、印刷面２８が形成される。なお、本実施形態では、木質系板材２を長手方向に沿って搬送したが、例えば、印刷時に、支持梁５３を木質系板材２の長手方向に沿って移動することにより、木質系板材２に対して、長手方向に沿ってインクジェットヘッド５２を相対的に移動してもよい。
【００４６】
本実施形態では、これらの表面に、印刷模様として木目模様を印刷する。具体的には、木質系板材２の表面２４および被覆材３の縁部表面３６に印刷される木目模様は、被覆材３の表面に印刷された木目模様に連続するように形成された木目模様である。これにより、図２（ｃ）に示すように、製造された木質系化粧材１の表面１４と端面１５とは、１枚の木材から切り出した板材（無垢材）の如き木目模様を有することになる。
【００４７】
ここで、木質系板材２の表面２４である突板２３の表面には、被覆材３の印刷と同様に、天然の木目模様が形成されているので、この天然の木目模様に応じて形成された突板の表面の凹凸形状を残しつつ、天然の木目模様が視認できるように、突板の表面の天然の木目模様とは異なる木目模様を印刷することが好ましい。これにより、印刷された木質系板材２の表面２４に、突板の木質感を維持することができる。
【００４８】
さらに、木質系板材２の表面２４と被覆材３の表面３１とに、印刷される木目模様に、従来木材の模様としては良好とされない、割れ、やに、杢、入り皮、金筋、シュガー筋、偽芯、アテ、色ムラ、てりの模様など、木材固有の模様を含めてもよい。さらに、木材を切断加工したときに形成されるノコギリの傷跡（ラフソーン）の模様、釘孔の跡の模様、を含めてもよい。これにより、これらの印刷された模様と同様の模様を有した天然の木材と、違和感なく組み合わせて利用することができる。
【００４９】
本実施形態では、ステップＳ１４で被覆材３の縁部３５を削り取ることにより被覆材３の縁部表面３６が露出する。しかしながら、露出した縁部表面３６とこれに連続した木質系板材２の表面２４とに、連続した印刷模様が形成されるように、これらの表面に木目模様を付与するので、露出した縁部表面３６が目立たなくなり、木質系化粧材１の意匠性を高めることができる。
【００５０】
〔第２発明について〕
以下に、図４〜図６を参照して、第２発明の実施形態に係る木質系化粧材１の製造方法を説明する。なお、第２発明に係る実施形態で付与される印刷模様は、第１発明の実施形態で例示したものであるので、その詳細な説明は省略する。さらに、第１発明に係る実施形態と同じ構成については、同じ符号を付してその詳細な説明を省略する。
【００５１】
まず、図４に示すように、ステップＳ４１で、第１発明と同様に、木質系板材２の準備をする。次に、ステップＳ４２で、木質系板材２の端面２５への被覆材３の貼着を行う（図６（ａ）参照）。この実施形態では、この時点では、木質系板材２の端面２５に貼着される被覆材３の表面３１には、印刷模様が付与されていない。
【００５２】
次に、ステップＳ４３で、被覆材３の縁部３５の削り取りを行う。具体的には、木質系板材２の端面２５に被覆材３を貼着した後に、木質系板材２からはみ出した被覆材３の縁部３５を削り取る。この縁部３５の削り取りにより、図６（ｂ）に示すように、被覆材３の縁部表面３６が露出する。ステップＳ４２およびステップＳ４３に示した一連の工程は、例えば、図１（ａ）に示した装置により行うことができる。
【００５３】
次に、ステップＳ４４で、図５（ａ）に示すように、複数の木質系板材２，２，…をその板厚方向に重ね合わせる。具体的には、被覆材３の表面３１が上方を向くように、複数の木質系板材２，２…を重ねて配列する。
【００５４】
次にステップＳ４５で、木質系板材２の端面２５に貼着された被覆材３へのインクジェット印刷を行う。具体的には、複数の木質系板材２に対して、重ねて配列した状態の両側の木質系板材間に亘るインクジェットヘッド５２の相対的な移動と、木質系板材２の長手方向に沿ったインクジェットヘッド５２の相対的な移動と、を交互に繰り返す。この移動に合わせて、インクジェットヘッド５２からインクを吹き付けて、複数の木質系板材２に貼着された被覆材３にインクジェット印刷で印刷模様を付与する。
【００５５】
より具体的には、本実施形態では、図５（ａ）に示すように、配列した複数の木質系板材２，２，…を木質系板材２の長手方向に搬送させ、インクジェットヘッド５５の下方を通過させる。
【００５６】
本実施形態では、木質系板材２の厚さ方向に沿って支持梁５６が固定されており、インクジェットヘッド５５は、支持梁５６に沿って移動自在に取り付けられている。木質系板材２の長手方向の搬送と、インクジェットヘッド５５の木質系板材２の厚さ方向への移動とを、繰り返し行いながら、縁部表面３６を含む被覆材３の表面３１に、インクジェット印刷で印刷模様を付与する（図６（ｃ）参照）。これにより、被覆材３の表面３１に、インク層３２により印刷面３３が形成される。
【００５７】
より具体的には、木質系板材２を長手方向にステップ的に搬送し、木質系板材２の搬送が停止しているタイミングで、インクジェットヘッド５５を木質系板材２の幅方向に亘って移動させながら、被覆材３の表面３１の印刷を行う。この一連の動作を繰り返す。これにより、被覆材３の表面３１に、インク層３２により印刷面３３が形成される。なお、本実施形態では、木質系板材２を長手方向に沿って搬送したが、例えば、印刷時に、支持梁５６を木質系板材２の長手方向に沿って移動することにより、木質系板材２に対して、インクジェットヘッド５２を長手方向に沿って相対的に移動してもよい。
【００５８】
このように、木質系板材２を重ね合わせて配列した状態で印刷を行ったので、複数の木質系板材２の端面２５に貼着された被覆材３に、同時に（一度に）印刷模様を付与することができる。本実施形態では、被覆材３の表面３１に付与される印刷模様は、第１発明で説明した場合と同様に、木目模様である。
【００５９】
また、重ねわせた木質系板材２の長手方向に搬送しつつ、複数の木質系板材２に対して、木質系板材２の厚さ方向に沿ってインクジェットヘッド５５を移動させながら、上述したインクジェット印刷を行うので、より多くの木質系板材２に対して印刷模様を効率的に付与することができる。
【００６０】
次にステップＳ４６で、複数の木質系板材２の幅方向への重ね合わせを行う。具体的には、図５（ｂ）に示すように、木質系板材２の表面２４が上方を向くように、複数の木質系板材２，２…を重ねて配列する。
【００６１】
次にステップＳ４６で、木質系板材２の表面２４へのインクジェット印刷を行う。具体的には、配列した複数の木質系板材２，２，…を木質系板材２の長手方向に搬送させ、インクジェットヘッド５７の下方を通過させる。
【００６２】
本実施形態では、木質系板材２の幅方向に沿って支持梁５８が固定されており、インクジェットヘッド５７は、支持梁５８に沿って移動自在に取り付けられている。第１発明で説明した方法と同様の方法で、インクジェットヘッド５５の木質系板材２の幅方向に亘る移動と、木質系板材２の長手方向に沿った搬送とを繰り返しながら、縁部表面３６を含む被覆材３の表面３１に、インクジェット印刷で印刷模様を付与する（図６（ｄ）参照）。被覆材３の表面３１に付与される印刷模様は、第１発明で説明した場合と同様に、木目模様である。
【００６３】
本発明によれば、印刷模様は、インクジェット印刷により被覆材３に付与され、その後、木質系板材２の表面２４にも、被覆材３に連続するよう形成された印刷模様が付与されるので、製造された木質系化粧材１を、１枚の木材から切り出した板材（無垢材）の如く視認することができる。
【００６４】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００６５】
本実施形態では、木質系板材の表面に突板を貼着することにより、木質系化粧材とした。しかしながら、木質系板材に合板の代わりに無垢材を用いた場合には、無垢材の表面に、木材に由来した天然の木目模様が形成されているので、突板を省略してもよい。
【符号の説明】
【００６６】
１：木質系化粧材、２：木質系板材、２１ベース部材、２３：突板、２５：端面、２８：印刷面、３：被覆材、３３：印刷面、３５：縁部、３６：縁部表面
【図１】
0006654080.tif 000002
【図２】
0006654080.tif 000003
【図３】
0006654080.tif 000004
【図４】
0006654080.tif 000005
【図５】
0006654080.tif 000006
【図６】
0006654080.tif 000007